【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御する遊技機であって、
可変表示に関連する予告演出を実行する予告演出実行手段と、
未だ開始されていない可変表示に対応する保留表示を保留表示部に表示する保留表示手段と、
前記保留表示部に表示される保留表示を変化させることにより、前記有利状態となる可能性を示唆する保留変化演出を実行可能な、保留変化演出実行手段と、
保留表示の態様が変化することを示唆する保留変化示唆演出を実行可能な保留変化示唆演出実行手段と、
を備え、
前記保留変化演出を実行させる可変表示が所定時間以上の場合、該可変表示において前記予告演出を前記保留変化示唆演出に変更することを特徴とする遊技機。
【手続補正２】
【補正対象書類名】明細書
【補正対象項目名】０００７
【補正方法】変更
【補正の内容】
【０００７】
（Ａ）上記目的を達成するため、本発明の一態様である遊技機は、
可変表示を行い、遊技者にとって有利な有利状態（例えば、大当り遊技状態など）に制御する遊技機（例えば、遊技機１）であって、可変表示に関連する予告演出（例えば、図２８の主予告演出パターンによって示される主予告演出など）を実行する予告演出実行手段（例えば、演出制御用ＣＰＵ１２０など）と、未だ開始されていない可変表示に対応する保留表示を保留表示部（例えば始動入賞記憶表示エリア５Ｈなど）に表示する保留表示手段（例えば、演出制御用ＣＰＵ１２０など）と、前記保留表示部に表示される保留表示を変化させることにより、前記有利状態となる可能性を示唆する保留変化演出（例えば、保留表示の表示態様を図２４の青色、黄色、赤色などに変化させるなど）を実行可能な保留変化演出実行手段（例えば、演出制御用ＣＰＵ１２０など）と、保留表示の態様が変化することを示唆する保留変化示唆演出（例えば、図２９（Ａ）の保留変化演出パターンなど）を実行可能な保留変化示唆演出実行手段（例えば、演出制御用ＣＰＵ１２０など）と、を備え、前記保留変化演出を実行させる可変表示が所定時間以上の場合、該可変表示において前記予告演出を前記保留変化示唆演出に変更する（例えば、主予告演出選択処理（ステップＳ６０５）において、特図変動時間が３０００ｍｓである変動パターン「ＰＡ１−１」である場合には、演出時間が１０００ｍｓである保留変化演出パターン「ＨＨ１」以外の保留変化演出パターンについては演出時間を十分に確保できないため、保留変化演出パターン「ＨＨ１」が選択されたときには実行できると判定し、主予告演出選択処理（ステップＳ６０１）において決定された主予告演出パターンを、保留変化演出選択処理（ステップＳ６０４）において決定された保留変化演出パターンに書き換えるように制御するなど）。
（１）上記目的を達成するため、他の遊技機は、
所定の始動条件の成立に応じて複数種類の識別情報を可変表示させ、表示結果を導出する可変表示手段を備え、導出された表示結果（例えば、確定飾り図柄、確定特別図柄など）が特定表示結果（例えば大当り図柄となる確定特別図柄や大当り組合せとなる確定飾り図柄など）となったときに遊技者にとって有利な特定遊技状態（例えば、大当り遊技状態など）に制御する遊技機（例えば、遊技機１）であって、未だ実行されていない識別情報の可変表示に対応する保留情報を記憶する保留記憶手段（例えば、第１特図保留記憶部１５１Ａ、第２特図保留記憶部１５１Ｂ、始動入賞時受信コマンドバッファ１９４Ａなど）と、識別情報の可変表示が開始されるときに、保留情報に基づいて表示結果を特定表示結果とするか否かを決定する事前決定手段（例えば、ステップＳ１１０の特別図柄通常処理において、特図表示結果決定用の乱数値ＭＲ１や大当り種別決定用の乱数値ＭＲ２などを用いて確定特別図柄を決定する処理などを実行するＣＰＵ１０３など）と、前記事前決定手段の決定結果に基づいて識別情報の可変表示の可変表示パターン（例えば変動カテゴリや変動パターンなど）を決定する可変表示パターン決定手段（例えば、ステップＳ１１１の変動パターン設定処理において、特図表示結果と保留記憶数とに基づいて、図１７に示した複数の変動カテゴリ決定テーブルのなかから使用する変動カテゴリ決定テーブルを選択し、選択した変動カテゴリ決定テーブルと変動カテゴリ決定用の乱数値ＭＲ３とに基づいて変動カテゴリを判定し、判定結果である変動カテゴリに基づいて、図１９に示した複数の変動パターン決定テーブルのなかから使用する変動パターン決定テーブルを選択し、選択した変動パターン決定テーブルと変動パターン決定用の乱数値ＭＲ５とに基づいて変動パターンを決定する処理などを実行するＣＰＵ１０３など）と、識別情報の可変表示を実行する表示制御手段（例えば、演出制御パターンに含まれる表示制御データが指定する表示制御指令を表示制御部１２３のＶＤＰ等に伝送して、画像表示装置５の画面上にて飾り図柄の変動を開始させる処理など）と、前記表示制御手段に識別情報の可変表示に関連する予告演出（例えば、図２８の主予告演出パターンによって示される主予告演出など）を実行させるかを判定する予告演出判定手段（例えば、主予告演出選択処理（ステップＳ６０１）などを実行する演出制御用ＣＰＵ１２０など）と、前記保留記憶手段に記憶された保留情報に対応する保留表示を保留表示部（例えば始動入賞記憶表示エリア５Ｈなど）に表示する保留表示手段（例えば、ステップＳ１６２の保留追加処理において始動入賞記憶表示エリア５Ｈに保留表示を追加する処理など）と、保留表示部に表示される保留表示の表示態様を予告態様（例えば、図２４の青色、黄色、赤色など）に変化させることにより、該保留表示に対応する識別情報の可変表示が特定表示結果となる可能性を示唆する保留変化実行手段（例えば、演出実行設定処理（図２７）のステップＳ６０７において、第１始動入賞記憶表示エリア５ＨＬに表示している保留表示の表示態様を例えば１段階上の表示態様（例えば、白色→青色、青色→黄色、黄色→赤色など）に変化させる演出制御パターンを使用パターンとしてセットするとともに、ステップＳ５３５において、セットされた演出制御パターンに含まれる表示制御データが指定する表示制御指令を表示制御部１２３のＶＤＰ等に伝送することによって、第１始動入賞記憶表示エリア５ＨＬに表示されている保留表示を予告態様に変化させる処理などを実行する演出制御用ＣＰＵ１２０など）と、前記保留表示部に表示される保留表示の表示態様を予告態様に変化させるにあたり、所定の保留変化演出（図２９（Ａ）の保留変化演出パターンによる保留変化演出など）を実行する保留変化演出実行手段（例えば、ステップＳ６０７において、保留変化演出選択処理（ステップＳ６０５）において選択された保留変化演出パターンに対応する演出制御パターンを使用パターンとしてセットするとともに、ステップＳ５３５において、セットされた演出制御パターンに含まれる表示制御データが指定する表示制御指令を表示制御部１２３のＶＤＰ等に伝送することによって、第１始動入賞記憶表示エリア５ＨＬに表示されている保留表示の表示態様を予告態様に変化させるにあたり、保留変化演出選択処理（ステップＳ６０５）において決定された保留変化演出を実行させる処理などを実行する演出制御用ＣＰＵ１２０など）と、前記保留変化実行手段により予告態様に変化させられる保留表示に対応する識別情報の可変表示までに実行される識別情報の可変表示の何れにおいて前記保留変化演出を実行するか否か及び、前記保留変化演出を実行させる識別情報の可変表示が開始されるときに実行する該保留変化演出の保留変化演出パターンを決定する保留変化演出パターン決定手段（例えば、図２３の保留演出決定処理（ステップＳ１６０）において保留変化演出の実行場所（タイミング）を決定する処理、及び、図２７のステップＳ６０３において当該変動で保留変化演出を実行すると判定されたときになどに実行する保留変化演出パターンを選択する処理（図２７の保留変化演出選択処理（ステップＳ６０４）など、を実行する演出制御用ＣＰＵ１２０など）と、前記可変表示パターン決定手段によって決定された前記可変表示パターンに基づいて識別情報の可変表示の実行を制御するとともに、前記予告演出と前記保留変化演出の実行を制御する実行制御手段（例えば、図２７のステップＳ６０２において変動パターン及び主予告演出の選択結果に基づいて演出制御パターンを設定する処理や、ステップＳ６０７において主予告演出及び保留変化演出の選択結果に基づいて演出制御パターンを再設定する処理などを実行する、演出制御用ＣＰＵ１２０など）とを備え、前記実行制御手段は、前記保留変化演出を実行させる識別情報の可変表示が開始されるときに（例えば、ステップＳ６０３において当該変動で保留変化演出を実行すると判定されたときなどに）、前記予告演出を実行することなく、前記保留変化演出パターン決定手段によって決定された前記保留変化演出パターンによる前記保留変化演出を実行するように制御する（例えば、図２７のステップＳ６０７の処理において、主予告演出選択処理（ステップＳ６０１）において決定された主予告演出パターンを、保留変化演出選択処理（ステップＳ６０４）において決定された保留変化演出パターンに書き換えるように制御してもよい）。